(57)【要約】【課題】各センサ部において形成されるコンデンサの容量を効果的に増加させることができるタッチパネルセンサを提供する。【解決手段】タッチパネルセンサは、各々がＡ電極及びＢ電極を含む、複数のセンサ部と、複数のセンサ部のＡ電極にそれぞれ接続された複数のＡ配線と、センサ部のＢ電極に接続された複数のＢ配線と、複数のセンサ部、複数のＡ配線及び複数のＢ配線が配置された基材と、を備える。Ａ電極は螺旋状に形成されており、Ｂ電極は、Ａ電極に並行するように螺旋状に形成されている。【選択図】図３
2018116564.tif 000002
【特許請求の範囲】
【請求項１】
各々がＡ電極及びＢ電極を含む複数のセンサ部と、
前記センサ部の前記Ａ電極にそれぞれ接続された複数のＡ配線と、
前記センサ部の前記Ｂ電極にそれぞれ接続された複数のＢ配線と、
前記複数のセンサ部、前記複数のＡ配線及び前記複数のＢ配線が配置された基材と、を備え、
前記基材は、前記複数のセンサ部が配置された第１領域と、前記第１領域の周辺に位置する第２領域と、に区画され、
前記複数のＡ配線及び前記複数のＢ配線は、前記第２領域まで延びており、
前記Ａ電極は、螺旋状に形成されており、
前記Ｂ電極は、前記Ａ電極に並行するように螺旋状に形成されている、タッチパネルセンサ。
【請求項２】
前記Ａ電極は、
開放端である一端と、他端と、内側側部と、外側側部と、を含むＡ極第１線状部分と、
前記Ａ極第１線状部分の他端に接続された一端と、他端と、前記Ａ極第１線状部分の前記内側側部とは異なる方向に延びる内側側部と、外側側部と、を含むＡ極第２線状部分と、
前記Ａ極第２線状部分の前記他端に接続された一端と、他端と、前記Ａ極第２線状部分の前記内側側部とは異なる方向に延びる内側側部と、外側側部と、を含むＡ極第３線状部分と、を有し、
前記Ｂ電極は、
開放端である一端と、他端と、前記Ａ極第１線状部分の前記内側側部に対向する内側側部と、外側側部と、を含むＢ極第１線状部分と、
前記Ｂ極第１線状部分の前記他端に接続された一端と、他端と、前記Ａ極第１線状部分の前記一端に対向する内側側部と、外側側部と、を含むＢ極第２線状部分と、
前記Ｂ極第２線状部分の前記他端に接続された一端と、他端と、前記Ａ極第１線状部分の前記外側側部に対向する内側側部と、外側側部と、を含むＢ極第３線状部分と、を有する、請求項１に記載のタッチパネルセンサ。
【請求項３】
前記Ａ電極及び前記Ｂ電極は、各々、第１方向に沿って直線状に延びる複数の第１方向電極用導線と、前記１方向に交差する第２方向に沿って直線状に延びる複数の第２方向電極用導線と、を有し、
前記Ｂ電極の前記第１方向電極用導線の９割以上が、前記Ａ電極の前記第１方向電極用導線のいずれかの延長線と重なり、
前記Ｂ電極の前記第２方向電極用導線の９割以上が、前記Ａ電極の前記第２方向電極用導線のいずれかの延長線と重なる、請求項１又は２に記載のタッチパネルセンサ。
【請求項４】
前記Ａ電極及び前記Ｂ電極の各線状部分において、前記第１方向電極用導線と前記第２方向電極用導線の交点が、当該線状部分の延びる方向に直交する方向に沿って少なくとも２つ以上並んでいる、請求項３に記載のタッチパネルセンサ。
【請求項５】
前記Ａ配線及び前記Ｂ配線は、各々、前記第１方向に沿って直線状に延びる複数の第１方向配線用導線と、前記第２方向に沿って直線状に延びる複数の第２方向配線用導線と、を有し、
前記Ａ配線の前記第１方向配線用導線の９割以上が、前記Ａ電極の前記第１方向電極用導線のいずれかの延長線と重なり、
前記Ｂ配線の前記第２方向配線用導線の９割以上が、前記Ａ電極の前記第２方向電極用導線のいずれかの延長線と重なる、請求項３又は４に記載のタッチパネルセンサ。
【請求項６】
前記Ａ配線及び前記Ｂ配線の各々において、前記第１方向配線用導線と前記第２方向配線用導線の交点が、当該配線の延びる方向に直交する方向に沿って少なくとも２つ以上並んでいる、請求項５に記載のタッチパネルセンサ。
【請求項７】
前記センサ部は、前記Ａ電極と前記Ｂ電極との間に位置し、前記Ａ電極及び前記Ｂ電極のいずれにも接続されていないダミー電極を更に有している、請求項１乃至６にいずれか一項に記載のタッチパネルセンサ。
【請求項８】
前記Ａ電極は、第１方向に沿って直線状に延びる複数の第１方向電極用導線と、前記１方向に交差する第２方向に沿って直線状に延びる複数の第２方向電極用導線と、を有し、
前記ダミー電極は、前記第１方向に沿って直線状に延びる複数の第１方向ダミー電極用導線と、前記第２方向に沿って直線状に延びる複数の第２方向ダミー電極用導線と、を有し、
前記第１方向ダミー電極用導線の９割以上が、前記Ａ電極の前記第１方向電極用導線のいずれかの延長線と重なり、
前記第２方向ダミー電極用導線の９割以上が、前記Ａ電極の前記第２方向電極用導線のいずれかの延長線と重なる、請求項７に記載のタッチパネルセンサ。
【請求項９】
表示装置と、
前記表示装置の表示面上に配置されたタッチパネルセンサと、を備え、
前記タッチパネルセンサは、
各々がＡ電極及びＢ電極を含む複数のセンサ部と、
前記センサ部の前記Ａ電極にそれぞれ接続された複数のＡ配線と、
前記センサ部の前記Ｂ電極にそれぞれ接続された複数のＢ配線と、
前記複数のセンサ部、前記複数のＡ配線及び前記複数のＢ配線が配置された基材と、を含み、
前記基材は、前記複数のセンサ部が配置された第１領域と、前記第１領域の周辺に位置する第２領域と、に区画され、
前記複数のＡ配線及び前記複数のＢ配線は、前記第２領域まで延びており、
前記Ａ電極は、螺旋状に形成されており、
前記Ｂ電極は、前記Ａ電極に並行するように螺旋状に形成されている、タッチ位置検出機能付き表示装置。
【発明の詳細な説明】
【技術分野】
【０００１】
本発明は、外部導体の接近又は接触を検出するためのタッチパネルセンサ及びタッチ位置検出機能付き表示装置に関する。
【背景技術】
【０００２】
今日、液晶ディスプレイや有機ＥＬディスプレイ等の表示装置が組み込まれた種々の装置等（例えば、券売機、ＡＴＭ装置、携帯電話、ゲーム機）に対する入力手段として、タッチパネル装置が広く用いられている。タッチパネル装置は、基材と、基材上に設けられ、指などの外部導体の接近又は接触を検出するセンサ部と、センサ部に接続された配線と、を備えるタッチパネルセンサを含む。タッチパネルセンサの基材は、外部導体が検出され得る領域に対応するアクティブエリアと、アクティブエリアの周辺に位置する非アクティブエリアと、に区画される。タッチパネルセンサが表示装置の表示面に重ねられる場合、アクティブエリアは、表示装置から放出される映像光が適切に透過できるように構成される。
【０００３】
タッチパネルセンサの構造として、基材の片側にセンサ部及び配線を設ける構造が知られている。例えば特許文献１において、タッチパネルセンサは、駆動電極及び検出電極を有し、基材の片側に二次元配列された複数のセンサ部と、駆動電極に接続されたドライブ線と、検出電極に接続されたセンス線と、を備える。この場合、駆動電極と検出電極との間に形成される電気力線が、外部導体の接近又は接触による影響を受けることに基づいて、外部導体の位置を検出することができる。
【先行技術文献】
【特許文献】
【０００４】
【特許文献１】特開２０１４−２０９３４４号公報
【発明の概要】
【発明が解決しようとする課題】
【０００５】
特許文献１に記載のタッチパネルセンサの各センサ部において、駆動電極と検出電極とは、端部においてのみ互いに対向している。この場合、駆動電極と検出電極とによって形成されるコンデンサの静電容量を増加させるためには、駆動電極及び検出電極の端部の長さを増加させる必要がある。しかしながら、駆動電極及び検出電極の端部の長さを増加させると、各センサ部の寸法が増加し、この結果、タッチパネルセンサの分解能が低下してしまう。
【０００６】
本発明は、このような課題を効果的に解決し得るタッチパネルセンサ及びタッチ位置検出機能付き表示装置を提供することを目的とする。
【課題を解決するための手段】
【０００７】
本発明は、各々がＡ電極及びＢ電極を含む複数のセンサ部と、前記センサ部の前記Ａ電極にそれぞれ接続された複数のＡ配線と、前記センサ部の前記Ｂ電極にそれぞれ接続された複数のＢ配線と、前記複数のセンサ部、前記複数のＡ配線及び前記複数のＢ配線が配置された基材と、を備え、前記基材は、前記複数のセンサ部が配置された第１領域と、前記第１領域の周辺に位置する第２領域と、に区画され、前記複数のＡ配線及び前記複数のＢ配線は、前記第２領域まで延びており、前記Ａ電極は、螺旋状に形成されており、前記Ｂ電極は、前記Ａ電極に並行するように螺旋状に形成されている、タッチパネルセンサである。
【０００８】
本発明によるタッチパネルセンサにおいて、前記Ａ電極は、開放端である一端と、他端と、内側側部と、外側側部と、を含むＡ極第１線状部分と、前記Ａ極第１線状部分の他端に接続された一端と、他端と、前記Ａ極第１線状部分の前記内側側部とは異なる方向に延びる内側側部と、外側側部と、を含むＡ極第２線状部分と、前記Ａ極第２線状部分の前記他端に接続された一端と、他端と、前記第２内側側部の前記内側側部とは異なる方向に延びる内側側部と、外側側部と、を含むＡ極第３線状部分と、を有し、前記第Ｂ電極は、開放端である一端と、他端と、前記Ａ極第１線状部分の前記内側側部に対向する内側側部と、外側側部と、を含むＢ極第１線状部分と、前記Ｂ極第１線状部分の前記他端に接続された一端と、他端と、前記Ａ極第１線状部分の前記一端に対向する内側側部と、外側側部と、を含むＢ極第２線状部分と、前記Ｂ極第２線状部分の前記他端に接続された一端と、他端と、前記Ａ極第１線状部分の前記外側側部に対向する内側側部と、外側側部と、を含むＢ極第３線状部分と、を有していてもよい。
【０００９】
本発明によるタッチパネルセンサにおいて、好ましくは、前記Ａ電極及び前記Ｂ電極は、各々、第１方向に沿って直線状に延びる複数の第１方向電極用導線と、前記１方向に交差する第２方向に沿って直線状に延びる複数の第２方向電極用導線と、を有し、前記Ｂ電極の前記第１方向電極用導線の９割以上が、前記Ａ電極の前記第１方向電極用導線のいずれかの延長線と重なり、前記Ｂ電極の前記第２方向電極用導線の９割以上が、前記Ａ電極の前記第２方向電極用導線のいずれかの延長線と重なる。
【００１０】
この場合、好ましくは、前記Ａ電極及び前記Ｂ電極の各線状部分において、前記第１方向電極用導線と前記第２方向電極用導線の交点が、当該線状部分の延びる方向に直交する方向に沿って少なくとも２つ以上並んでいる。
【００１１】
また、好ましくは、前記Ａ配線及び前記Ｂ配線は、各々、前記第１方向に沿って直線状に延びる複数の第１方向配線用導線と、前記第２方向に沿って直線状に延びる複数の第２方向配線用導線と、を有し、前記Ａ配線の前記第１方向配線用導線の９割以上が、前記Ａ電極の前記第１方向電極用導線のいずれかの延長線と重なり、前記Ｂ配線の前記第２方向配線用導線の９割以上が、前記Ａ電極の前記第２方向電極用導線のいずれかの延長線と重なる。
【００１２】
この場合、好ましくは、前記Ａ配線及び前記Ｂ配線の各々において、前記第１方向配線用導線と前記第２方向配線用導線の交点が、当該配線の延びる方向に直交する方向に沿って少なくとも２つ以上並んでいる。
【００１３】
本発明によるタッチパネルセンサにおいて、好ましくは、前記センサ部は、前記Ａ電極と前記Ｂ電極との間に位置し、前記Ａ電極及び前記Ｂ電極のいずれにも接続されていないダミー電極を更に有している。
【００１４】
この場合、好ましくは、前記Ａ電極は、第１方向に沿って直線状に延びる複数の第１方向電極用導線と、前記１方向に交差する第２方向に沿って直線状に延びる複数の第２方向電極用導線と、を有し、前記ダミー電極は、前記第１方向に沿って直線状に延びる複数の第１方向ダミー電極用導線と、前記第２方向に沿って直線状に延びる複数の第２方向ダミー電極用導線と、を有し、前記ダミー電極は、前記第１方向に沿って直線状に延びる複数の第１方向ダミー電極用導線と、前記第２方向に沿って直線状に延びる複数の第２方向ダミー電極用導線と、を有し、前記第１方向ダミー電極用導線の９割以上が、前記Ａ電極の前記第１方向電極用導線のいずれかの延長線と重なり、前記第２方向ダミー電極用導線の９割以上が、前記Ａ電極の前記第２方向電極用導線のいずれかの延長線と重なる。
【００１５】
また、本発明は、表示装置と、前記表示装置の表示面上に配置されたタッチパネルセンサと、を備え、前記タッチパネルセンサは、各々がＡ電極及びＢ電極を含む複数のセンサ部と、前記センサ部の前記Ａ電極にそれぞれ接続された複数のＡ配線と、前記センサ部の前記Ｂ電極にそれぞれ接続された複数のＢ配線と、前記複数のセンサ部、前記複数のＡ配線及び前記複数のＢ配線が配置された基材と、を含み、前記基材は、前記複数のセンサ部が配置された第１領域と、前記第１領域の周辺に位置する第２領域と、に区画され、前記複数のＡ配線及び前記複数のＢ配線は、前記第２領域まで延びており、前記Ａ電極は、螺旋状に形成されており、前記Ｂ電極は、前記Ａ電極に並行するように螺旋状に形成されている、タッチ位置検出機能付き表示装置である。
【発明の効果】
【００１６】
本発明によれば、各センサ部において形成されるコンデンサの容量を効果的に増加させることができる。
【図面の簡単な説明】
【００１７】
【図１】タッチ位置検出機能付き表示装置を示す展開図である。
【図２】タッチパネルセンサ全体を示す平面図である。
【図３】タッチパネルセンサの一部を拡大して示す平面図である。
【図４】図３に示すタッチパネルセンサの１つのセンサ部を拡大して示す平面図である。
【図５】図３に示すセンサ部の一部を拡大して示す平面図である。
【図６】図４に示すセンサ部及びＡ配線の一部を拡大して示す平面図である。
【図７】タッチパネルセンサの断面構造の一例を示す図である。
【図８】第２の実施の形態において、タッチパネルセンサの一部を拡大して示す平面図である。
【図９】第３の実施の形態において、タッチパネルセンサの一部を拡大して示す平面図である。
【図１０】図９に示すセンサ部を示す平面図である。
【図１１】図１０に示すセンサ部の一部を拡大して示す平面図である。
【図１２】第４の実施の形態において、タッチパネルセンサの一部を拡大して示す平面図である。
【図１３】図１２に示すセンサ部の一部を拡大して示す平面図である。
【図１４】ダミー電極が存在しない場合のセンサ部の一例を示す断面図である。
【図１５】ダミー電極が存在する場合のセンサ部の一例を示す断面図である。
【発明を実施するための形態】
【００１８】
〔第１の実施の形態〕
以下、図１乃至図７を参照して、本発明の第１の実施の形態について説明する。なお、本明細書に添付する図面においては、図示と理解のしやすさの便宜上、適宜縮尺および縦横の寸法比等を、実物のそれらから変更し誇張してある。
【００１９】
はじめに図１を参照して、タッチ位置検出機能付き表示装置１０について説明する。図１に示すように、タッチ位置検出機能付き表示装置１０は、液晶ディスプレイや有機ＥＬディスプレイなどの表示装置１５と、表示装置１５の観察者側に配置されたタッチパネルセンサ２０と、を組み合わせることによって構成されている。表示装置１５は、表示面１６ａを有する表示パネル１６と、表示パネル１６に接続された表示制御部（図示せず）と、を有している。表示パネル１６は、映像を表示することができるアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２０】
タッチパネルセンサ２０は、表示装置１５の表示面１６ａに、例えば接着層（図示せず）を介して接着されている。なお図示はしないが、タッチパネルセンサ２０の観察者側には、タッチパネルセンサ２０や表示装置１５を保護するための保護カバーが設けられていてもよい。
【００２１】
タッチパネルセンサ
次に図１及び図２を参照して、タッチパネルセンサ２０について説明する。図２は、表示装置１５側から見た場合のタッチパネルセンサ２０を示す平面図である。タッチパネルセンサ２０は、相互容量方式のタッチパネルセンサとして構成されている。
【００２２】
図１及び図２に示すように、タッチパネルセンサ２０は、表示装置１５側の第１面２２ａ及び観察者側の第２面２２ｂを含む、矩形状の基材２２を備える。基材２２は、外部導体の位置が検出され得る領域に対応する矩形状の第１領域Ａａ１と、第１領域Ａａ１の周辺に位置する矩形枠状の第２領域Ａａ２と、を含んでいる。また、図２に示すように、タッチパネルセンサ２０は、複数のセンサ部２４、複数のＡ配線２６及び複数のＢ配線２８を備える。センサ部２４、Ａ配線２６の一部及びＢ配線２８の一部は、基材２２の第１領域Ａａ１に配置されており、Ａ配線２６のその他の部分及びＢ配線２８のその他の部分は、基材２２の第２領域Ａａ２に配置されている。また、センサ部２４、Ａ配線２６及びＢ配線２８はいずれも、基材２２の同一の面に設けられている。例えば、センサ部２４、Ａ配線２６及びＢ配線２８はいずれも、基材２２の第１面２２ａに設けられている。また、センサ部２４、Ａ配線２６及びＢ配線２８はいずれも、基材２２の第２面２２ｂに設けられていてもよい。
【００２３】
（基材）
基材２２を構成する材料としては、例えば、ポリエチレンテレフタレート（ＰＥＴ）、シクロオレフィンポリマー（ＣＯＰ）などの有機材料や、ガラスなどの無機材料など、十分な透光性を有する材料が用いられる。基材２２が例えばＰＥＴなどの有機材料を含む場合、基材２２の厚みは例えば３０μｍ以上且つ２００μｍ以下であり、好ましくは３０μｍ以上且つ１００μｍ以下である。なお、センサ部２４、Ａ配線２６及びＢ配線２８を適切に保持することができる限りにおいて、基材２２の具体的な構成が特に限られることはない。例えば、基材２２は、ＰＥＴフィルムの表面に設けられたハードコート層を更に含んでいてもよい。
【００２４】
（センサ部）
図２に示すように、複数のセンサ部２４は、基材２２の第１面２２ａ上に二次元配列されている。例えば、複数のセンサ部２４は、第３方向Ｄ３及び第３方向Ｄ３に交差する第４方向Ｄ４に沿って並んでいる。図２に示す例において、第４方向Ｄ４は第３方向Ｄ３に直交している。以下の説明において、第３方向Ｄ３においてｍ番目に位置し、且つ第４方向Ｄ４においてｎ番目に位置するセンサ部２４のことを、センサ部２４＿ｍｎとも称する。ｍ及びｎは任意の正の整数である。
【００２５】
図３は、図２に示すタッチパネルセンサ２０の複数のセンサ部２４の一部を、例えばセンサ部２４＿１１、センサ部２４＿２１、センサ部２４＿１２及びセンサ部２４＿２２を拡大して示す平面図である。センサ部２４は、互いに対向するＡ電極３０及びＢ電極４０を有する。Ａ電極３０及びＢ電極４０の一方は、信号電圧が印加される駆動電極として機能し、他方は、検出電極として機能する。例えば、Ａ電極３０が駆動電極である場合、Ｂ電極４０が検出電極として機能する。この場合、Ｂ電極４０には、Ａ電極３０とＢ電極４０との間に形成されるコンデンサを介した容量結合によって、Ａ電極３０からの信号電圧が伝達される。
【００２６】
図３に示すように、Ａ電極３０は、α回転方向Ｃαに回転する螺旋状に形成されている。図１に示す例においては、Ａ電極３０は、複数のＡ極線状部分Ａ１〜Ａｍ（ｍは３以上の整数）を含んでおり、複数のＡ極線状部分Ａ１〜Ａｍは、この順で、センサ部２４の中心Ｏから外側に向かって、全体として四角形状の螺旋を描くように配置され、互いに接続されている。このように、センサ部２４の中心Ｏは、螺旋状のＡ電極３０の中心Ｏでもある。
【００２７】
Ｂ電極４０は、Ａ電極３０と同様にα回転方向Ｃαに回転する螺旋状に形成され、Ａ電極３０に並行するように配置されている。図１に示す例においては、Ｂ電極４０は、複数のＢ極線状部分Ｂ１〜Ｂｎ（ｎは３以上の整数）を含んでおり、複数のＢ極線状部分Ｂ１〜Ｂｎが、この順で、センサ部２４の中心Ｏから外側に向かって、全体として四角形状の螺旋を描くように配置され、互いに接続されている。このように、センサ部２４の中心Ｏは、螺旋状のＢ電極４０の中心Ｏでもある。
【００２８】
図３乃至図５を参照して、Ａ電極３０及びＢ電極４０の構成についてより詳細に説明する。以下では、各線状部分において、センサ部２４の中心Ｏの側を「内側」と称し、当該中心Ｏの側とは反対の側を「外側」と称する。
【００２９】
図４は、タッチパネルセンサ２０の１つのセンサ部２４、例えばセンサ部２４＿１１と、センサ部２４＿１１の近傍に位置するＡ配線２６及びＢ配線２８とを拡大して示す図である。また、図５は、図３のセンサ部２４のうち、センサ部２４の中心Ｏの近傍に配置されたＡ電極３０の４つの線状部分Ａ１〜Ａ４及びＢ電極４０の４つの線状部分Ｂ１〜Ｂ４を拡大して示す図である。
【００３０】
図３乃至図５に示すように、Ａ極線状部分Ａ１〜Ａｍのうち、センサ部２４の中心Ｏの最も近傍に配置されたＡ極第１線状部分Ａ１は、全体として第５方向Ｄ５に延びている。Ａ極第１線状部分Ａ１は、第５方向Ｄ５に延び、且つセンサ部２４の中心Ｏに対向する内側側部ｓＡ１と、内側側部ｓＡ１に対向する外側側部ｔＡ１と、を有している。また、Ａ極第１線状部分Ａ１は、一対の側部ｓＡ１，ｔＡ１の両端に、一対の端部ｅＡ１，ｆＡ１を有している。一対の端部ｅＡ１，ｆＡ１のうち、一端ｅＡ１は開放端である。
【００３１】
Ａ極第２線状部分Ａ２は、全体として、Ａ極第１線状部分Ａ１が延びる第５方向Ｄ５とは異なる第６方向Ｄ６に延びている。Ａ極第２線状部分Ａ２は、第６方向Ｄ６に延び、且つセンサ部２４の中心Ｏに対向する内側側部ｓＡ２と、内側側部ｓＡ２に対向する外側側部ｔＡ２と、を有している。また、Ａ極第２線状部分Ａ２は、一対の側部ｓＡ２，ｔＡ２の両端に、一対の端部ｅＡ２，ｆＡ２を有している。一対の端部ｅＡ２，ｆＡ２のうち、一端ｅＡ２は、Ａ極第１線状部分Ａ１の他端ｆＡ１に接続されている。
【００３２】
Ａ極第３線状部分Ａ３は、全体として、Ａ極第２線状部分Ａ２が延びる第６方向Ｄ６とは異なる第７方向Ｄ７に延びている。Ａ極第３線状部分Ａ３は、第７方向Ｄ７に延び、且つセンサ部２４の中心Ｏに対向する内側側部ｓＡ３と、内側側部ｓＡ３に対向する外側側部ｔＡ３と、を有している。また、Ａ極第３線状部分Ａ３は、一対の側部ｓＡ３，ｔＡ３の両端に位置する一対の端部ｅＡ３，ｆＡ３を有している。一対の端部ｅＡ３，ｆＡ３のうち、一端ｅＡ３は、Ａ極第２線状部分Ａ２の他端ｆＡ２に接続されている。
【００３３】
Ａ極第４線状部分Ａ４は、全体として、Ａ極第３線状部分Ａ３が延びる第７方向Ｄ７とは異なる第８方向Ｄ８に延びている。Ａ極第４線状部分Ａ４は、第８方向Ｄ８に延び、且つセンサ部２４の中心Ｏに対向する内側側部ｓＡ４と、内側側部ｓＡ４に対向する外側側部ｔＡ４と、を有している。また、Ａ極第４線状部分Ａ４は、一対の側部ｓＡ４，ｔＡ４の両端に位置する一対の端部ｅＡ４，ｆＡ４を有している。一対の端部ｅＡ４，ｆＡ４のうち、一端ｅＡ４は、Ａ極第３線状部分Ａ３の他端ｆＡ３に接続されている。
【００３４】
同様に、図４に示すように、Ａ極第１線状部分Ａ１から数えてｘ番目に配置されたＡ極第ｘ線状部分Ａｘ（ｘは２〜ｍの整数）は、全体として、Ａ極第ｘ−１線状部分Ａｘ−１が延びる方向とは異なる方向に延びている。Ａ極第ｘ線状部分Ａｘは、センサ部２４の中心Ｏに対向する内側側部ｓＡｘと、内側側部ｓＡｘに対向する外側側部ｔＡｘと、を有している、また、Ａ極第ｘ線状部分Ａｘは、一対の側部ｓＡｘ，ｔＡｘの両端に位置する一対の端部ｅＡｘ，ｆＡｘを有している。一対の端部ｅＡｘ，ｆＡｘのうち、一端ｅＡｘは、Ａ極第ｘ−１線状部分Ａｘ−１の他端ｆＡｘ−１に接続されている。
【００３５】
本実施の形態においては、Ａ極第２線状部分Ａ２が延びる第６方向Ｄ６は、Ａ極第１線状部分Ａ１が延びる第５方向Ｄ５に直交している。また、Ａ極第３線状部分Ａ３が延びる第７方向Ｄ７は、Ａ極第２線状部分Ａ２が延びる第６方向Ｄ６に直交している。また、Ａ極第４線状部分Ａ４が延びる第８方向Ｄ８は、Ａ極第３線状部分Ａ３が延びる第７方向Ｄ７に直交している。同様に、Ａ極線状部分Ａｘが延びる方向は、Ａ極線状部分Ａｘ−１が延びる方向に直交している。この結果、Ａ電極３０のＡ極線状部分Ａ１〜Ａｍは、全体として長方形状あるいは正方形状の輪郭を有する螺旋を描いている。
【００３６】
本実施の形態においては、Ａ極第１線状部分Ａ１が延びる第５方向Ｄ５及びＡ極第３線状部分Ａ３が延びる第７方向Ｄ７は、センサ部２４が並ぶ第３方向Ｄ３及び第４方向Ｄ４のうちの一方に、例えば、第４方向Ｄ４に平行である。この結果、Ａ電極３０の長方形状あるいは正方形状の輪郭を構成するその他の線状部分も、センサ部２４が並ぶ第４方向Ｄ４に延びる辺を有する。例えば、図４に示すように、Ａ配線２６にその他端ｆＡｍが接続されたＡ極第ｍ線状部分Ａｍは、第４方向Ｄ４に延びている。
【００３７】
さらに、本実施の形態においては、Ａ極第２線状部分Ａ２が延びる第６方向Ｄ６及びＡ極第４線状部分Ａ４が延びる方向第８方向Ｄ８は、センサ部２４が並ぶ第３方向Ｄ３及び第４方向Ｄ４のうちの他方に、例えば第３方向Ｄ３に平行である。この結果、Ａ電極３０の長方形状あるいは正方形状の輪郭を構成するその他の線状部分も、センサ部２４が並ぶ第３方向Ｄ３に延びている。例えば、図４に示すように、Ａ極第ｍ線状部分Ａｍにその他端ｆＡｍ−１が接続されたＡ極第ｍ−１線状部分Ａｍ−１は、第３方向Ｄ３に延びている。後述するように、Ａ電極３０に接続されたＡ配線２６の接続部分２６１及び線状部分２６２も、第３方向Ｄ３に延びている。
【００３８】
一方、図５に示すように、Ｂ電極４０のＢ極線状部分Ｂ１〜Ｂｎのうち、センサ部２４の中心Ｏの最も近傍に配置されたＢ極第１線状部分Ｂ１は、Ａ電極３０のＡ極第１線状部分Ａ１とＡ極第２線状部分Ａ２とＡ極第３線状部分Ａ３とによって囲まれる領域に位置している。ここで、センサ部２４の中心Ｏ（螺旋状のＢ極の中心Ｏ）は、Ｂ極第１線状部分Ｂ１とＡ極第１線状部分Ａ１との間に位置する。Ｂ極第１線状部分Ｂ１は、全体としてＡ極第１線状部分Ａ１が延びる第５方向Ｄ５に延びている。Ｂ極第１線状部分Ｂ１は、第５方向Ｄ５に延び、且つＡ極第１線状部分Ａ１の内側側部ｓＡ１に対向する内側側部ｓＢ１と、内側側部ｓＢ１に対向する外側側部ｔＢ１と、を有している。また、Ｂ極第１線状部分Ｂ１は、一対の側部ｓＢ１，ｔＢ１の両端に、一対の端部ｅＢ１，ｆＢ１を有している。一対の端部ｅＢ１，ｆＢ１のうち、Ａ極第２線状部分Ａ２に対向する一端ｅＢ１は開放端である。
【００３９】
Ｂ極第２線状部分Ｂ２は、Ａ極第１線状部分Ａ１の一端ｅＡ１と、Ａ極第４線状部分Ａ４との間に配置されている。Ｂ極第２線状部分Ｂ２は、全体として、Ａ極第４線状部分Ａ４が延びる第８方向Ｄ８に延びている。Ｂ極第２線状部分Ｂ２は、Ａ電極３０のＡ極第１線状部分Ａ１の一端ｅＡ１に対向する内側側部ｓＢ２と、内側側部ｓＢ２に対向する外側側部ｔＢ２と、を有している。また、Ｂ極第２線状部分Ｂ２は、一対の側部ｓＢ２，ｔＢ２の両端に、一対の端部ｅＢ２，ｆＢ２を有している。一対の端部ｅＢ２，ｆＢ２のうち、一端ｅＢ２は、Ｂ極第１線状部分Ｂ１の他端ｆＢ１に接続されている。
【００４０】
Ｂ極第３線状部分Ｂ３は、Ａ極第１線状部分Ａ１の外側側部ｔＡ１に対向して配置されている。Ｂ極第３線状部分Ｂ３は、全体として、Ａ極第１線状部分Ａ１が延びる第１方向Ｄ１に延びている。Ｂ極第３線状部分Ｂ３は、第５方向Ｄ５に延び、且つＡ極第１線状部分Ａ１の外側側部ｔＡ１に対向する内側側部ｓＢ３と、内側側部ｓＢ３に対向する外側側部ｔＢ３と、を有している。また、Ｂ極第３線状部分Ｂ３は、一対の側部ｓＢ３，ｔＢ３の両端に位置する一対の端部ｅＢ３，ｆＢ３を有している。一対の端部ｅＢ３，ｆＢ３のうち、一端ｅＢ３は、Ｂ極第２線状部分Ｂ２の他端ｆＢ２に接続されている。
【００４１】
同様に、図４に示すように、Ｂ極第１線状部分Ｂ１から数えてｙ番目に配置されたＢ極第ｙ線状部分Ｂｙ（ｙは２〜ｎの整数）は、Ａ極第ｙ−２線状部分Ａｙ−２の外側側部ｔＡｙ−２に対向して配置されている。Ｂ極第ｙ線状部分Ｂｙは、全体として、Ａ極第ｙ−２線状部分Ａｙ−２が延びる方向に延びている。Ｂ極第ｙ線状部分Ｂｙは、Ａ極第ｙ−２線状部分Ａｙ−２の外側側部ｔＡｙ−２に対向する内側側部ｓＢｙと、内側側部ｓＢｙに対向する外側側部ｔＢｙと、を有している。また、Ｂ極第ｙ線状部分Ｂｙは、一対の側部ｓＢｙ，ｔＢｙの両端に位置する一対の端部ｅＢｙ，ｆＢｙを有している。一対の端部ｅＢｙ，ｆＢｙのうち、一端ｅＢｙは、Ｂ極第ｙ−１線状部分Ｂｙ−１の他端ｆＢｙ−１に接続されている。
【００４２】
本実施の形態においては、Ｂ電極４０のＢ極線状部分Ｂ１〜Ｂｎは、Ａ電極３０に並行し、全体として長方形状あるいは正方形状の輪郭を有する螺旋を描いている。また、Ａ電極３０の長方形状あるいは正方形状の輪郭を構成する線状部分と同様に、Ｂ電極４０の長方形状あるいは正方形状の輪郭を構成する線状部分も、センサ部２４が並ぶ第３方向Ｄ３及び第４方向Ｄ４のうちの一方または他方に延びる辺を有する。例えば、図４に示すように、Ｂ極４０のＢ極第ｎ線状部分Ｂｎは、第４方向Ｄ４に延びている。また、Ｂ極第ｎ線状部分Ｂｎにその他端ｆＢｎ−１が接続されたＢ極第ｎ−１線状部分Ｂｎ−１は、第３方向Ｄ３に延びている。後述するように、Ｂ電極４０に接続されたＢ配線２８も、第３方向Ｄ３に延びている。
【００４３】
図３に示すように、Ｂ極第１線状部分Ｂ１の内側側部ｓＢ１は、Ａ極第１線状部分Ａ１の内側側部ｓＡ１に対向している。この場合、Ｂ極第１線状部分Ｂ１の内側側部ｓＢ１と、Ａ極第１線状部分Ａ１の内側側部ｓＡ１と、の間には、内側側部ｓＢ１及び内側側部ｓＡ１の対向部分の長さに比例した静電容量を有するコンデンサが形成される。
【００４４】
また、Ｂ極第３線状部分Ｂ３の内側側部ｓＢ３は、Ａ極第１線状部分Ａ１の外側側部ｔＡ１に対向している。この場合、Ｂ極第３線状部分Ｂ３の内側側部ｓＢ３と、Ａ極第１線状部分Ａ１の外側側部ｔＡ１と、の間には、内側側部ｓＢ３及び外側側部ｔＡ１の対向部分の長さに比例した静電容量を有するコンデンサが形成される。
【００４５】
さらに、Ａ極第３線状部分Ａ３の内側側部ｓＡ３は、Ｂ極第１線状部分Ｂ１の外側側部ｔＢ１に対向している。この場合、Ａ極第３線状部分Ａ３の内側側部ｓＡ３と、Ｂ極第１線状部分Ｂ１の外側側部ｔＢ１と、の間には、内側側部ｓＡ３及び外側側部ｔＢ１の対向部分の長さに比例した静電容量を有するコンデンサが形成される。
【００４６】
同様に、Ｂ極第ｑ線状部分Ｂｑの内側側部ｓＢｑは（ｑは３〜ｎの整数）、Ａ極第ｑ−２線状部分Ａｑ−２の外側側部ｔＡｑ−２に対向している。この場合、Ｂ極第ｑ線状部分Ｂｑの内側側部ｓＢｑと、Ａ極第ｑ−２線状部分Ａｑ−２の外側側部ｔＡｑ−２と、の間には、内側側部ｓＢｑ及び外側側部ｔＡｑ−２の対向部分の長さに比例した静電容量を有するコンデンサが形成される。
【００４７】
また、Ａ極第ｐ線状部分Ａｐの内側側部ｓＡｐは（ｐは３〜ｍの整数）、Ｂ極第ｐ−２線状部分Ｂｐ−２の外側側部ｔＢｐ−２に対向している。この場合、Ａ極第ｐ線状部分Ａｐの内側側部ｓＡｐと、Ｂ極第ｐ−２線状部分Ｂｐ−２の外側側部ｔＢｐ−２と、の間には、内側側部ｓＡｐ及び外側側部ｔＢｐ−２の対向部分の長さに比例した静電容量を有するコンデンサが形成される。
【００４８】
従って、Ａ電極３０とＢ電極４０との間には、Ａ極線状部分Ａ１〜Ａｍ及びＢ極線状部分Ｂ１〜Ｂｎの数、並びに、対向する側部ｓＢｑ，ｔＡｑ−２及び側部ｓＡｐ，ｔＢｐ−２の対向部分の長さに比例した静電容量を有するコンデンサが形成される。このため、上述の特許文献１のように駆動電極及び検出電極の端部でのみ互いに対向する場合に比べて、静電容量を増加させることができる。このことにより、センサ部２４の検出感度を高めることができる。
【００４９】
（Ａ配線）
次に、Ａ配線２６について説明する。図２及び図３に示すように、複数のＡ配線２６はそれぞれ、第３方向Ｄ３に並ぶ複数のセンサ部２４のうちの対応する１つのセンサ部２４のＡ電極３０に接続されている。Ａ配線２６は、接続部分２６１及び線状部分２６２を含む。接続部分２６１は、対応するＡ電極３０のＡ極第３線状部分Ａｍの他端ｆＡｍに、第４方向Ｄ４の一方の側（図３の例では左側）において接続されている。線状部分２６２は、接続部分２６１から第２領域Ａａ２まで延びている。接続部分２６１は、複数のセンサ部２４が並ぶ第３方向Ｄ３に、Ｂ極第ｎ−１線状部分Ｂｎ−１に沿って延びている。また、線状部分２６２も、接続部分２６１から第２領域Ａａ２まで第３方向Ｄ３に延びている。
【００５０】
第３方向Ｄ３において隣り合う２つのセンサ部２４のうちの一方のセンサ部２４のＡ電極３０に接続されたＡ配線２６の接続部分２６１の、第４方向Ｄ４における幅は、他方のセンサ部２４のＡ電極３０に接続されたＡ配線２６の接続部分２６１の、第４方向Ｄ４における幅と異なっていてもよい。例えば、図３に示すように、センサ部２４＿１１のＡ電極３０に接続された接続部分２６１の、第４方向Ｄ４における幅が、センサ部２４＿２１のＡ電極３０に接続された接続部分２６１の、第４方向Ｄ４における幅よりも大きくなっていてもよい。以下、このように構成する理由について説明する。
【００５１】
図２に示すように、第３方向Ｄ３に並ぶ複数のセンサ部２４に接続されたＡ配線２６の複数の線状部分２６２は、第４方向Ｄ４に並んでいる。この場合、第４方向Ｄ４に並ぶ線状部分２６２の数は、図２における下側の第２領域Ａａ２（線状部分２６２が向かう方向に位置する第２領域Ａａ２）に近づくにつれて増加する。ここで本実施の形態においては、図２に示すように、第３方向Ｄ３における第２領域Ａａ２までの距離が大きい接続部分２６１ほど、第４方向Ｄ４における幅を大きくしている。これによって、図２に示すように、Ａ配線２６が第４方向Ｄ４において占める領域の幅を、第３方向Ｄ３における位置に依らず一定にすることができる。このため、第４方向Ｄ４におけるセンサ部２４の幅を、第３方向Ｄ３における位置に依らず一定にすることができるので、センサ部２４の感度が第３方向Ｄ３における位置によって相違することを抑制することができる。
【００５２】
（Ｂ配線）
次に、Ｂ配線２８について説明する。図２及び図３に示すように、複数のＢ配線２８はそれぞれ、対応するＢ電極４０のＢ極第ｎ線状部分Ｂｎの他端ｆＢｎに、第４方向Ｄ４の一方の側（図２及び図３の例では右側）において接続されている。Ｂ配線２８は、第４方向Ｄ４においてセンサ部２４を介してＡ配線２６の接続部分２６１に対向している。また、Ｂ配線２８は、複数のセンサ部２４が並ぶ第３方向Ｄ３に、Ａ極第ｍ−１線状部分Ａｍ−１に沿って第２領域Ａａ２まで延びている。
【００５３】
図２及び図３に示すように、１本のＢ配線２８が、第３方向Ｄ３に並ぶ複数のセンサ部２４のＢ電極４０に接続されていてもよい。これによって、第１領域Ａａ１に配置されるＢ配線２８の本数を削減することができる。
【００５４】
以下、図３、図４、図６及び図７を参照して、Ａ電極３０、Ｂ電極４０、Ａ配線２６及びＢ配線２８の構成について詳細に説明する。図６は、図４に示すセンサ部２４＿１１及びＡ配線２６の一部を拡大して示す平面図である。
【００５５】
図４及び図６に示すように、Ａ電極３０及びＢ電極４０は、それぞれ、網目状に配置された複数の導線６１を含む。導線６１は、第１方向Ｄ１に沿って直線状に延びる第１方向電極用導線６１１ａ，６１１ｂと、第１方向Ｄ１に交差する第２方向Ｄ２に沿って直線状に延びる複数の第２方向電極用導線６１２ａ，６１２ｂと、を有している。Ａ電極３０及びＢ電極４０と同様に、Ａ配線２６及びＢ配線２８も、それぞれ、網目状に配置された複数の導線８１を含む。導線８１は、第１方向Ｄ１に沿って直線状に延びる第１方向配線用導線８１１と、第２方向Ｄ２に沿って直線状に延びる複数の第２方向配線用導線８１２と、を有している。
【００５６】
図６に示す例において、第１方向Ｄ１及び第２方向Ｄ２はそれぞれ、第３方向Ｄ３に対して所定の角度、例えば４５°を成している。この場合、各導線６１，８１の間に正方形状の開口部６２，８２が画成される。開口部６２，８２の寸法は、第１領域Ａａ１の面積のうち開口部６２，８２によって占められる面積の比率（以下、開口率と称する）が十分に高くなり、これによって、表示装置１５からの映像光が適切な透過率で第１領域Ａａ１を透過することができるよう、設定されている。なお、導線６１，８１が延びる方向や開口部６２，８２の形状は特には限定されない。
【００５７】
図３、図４及び図６に示すように、Ａ電極３０とＢ電極４０との間には、Ａ電極３０とＢ電極４０とを電気的に分離するための第１隙間Ｓ１が形成されている。第１隙間Ｓ１は、第１隙間Ｓ１と隣り合うＡ極線状部分Ａ１〜Ａｍ及びＢ極線状部分Ｂ１〜Ｂｎに沿って、第５方向Ｄ５ないし第７方向Ｄ７、あるいは、第６方向Ｄ６ないし第８方向Ｄ８に延びている。また、Ａ極第ｍ−１線状部分Ａｍ−１とＢ配線２８との間、及びＢ極第ｎ−１線状部分Ｂｎ−１とＡ配線２６との間にも、電気的な分離のための第２隙間Ｓ２が形成されている。また、複数のＡ配線２６の間にも、電気的な分離のための第３隙間Ｓ３が形成されている。第２隙間Ｓ２及び第３隙間Ｓ３は、Ａ配線２６又はＢ配線２８に沿って第３方向Ｄ３に延びている。
【００５８】
図６において、符号ａは、隙間Ｓ１，Ｓ２，Ｓ３の幅を表す。隙間Ｓ１、Ｓ２、Ｓ３が目立つことを抑制するためには、幅ａが小さいことが好ましい。幅ａは、例えば５μｍ以上且つ７０μｍ以下である。
【００５９】
図６に示す例においては、Ｂ電極４０の第１方向電極用導線６１１ｂは、その９割以上が、Ａ電極３０の第１方向電極用導線６１１ａのいずれかの延長線Ｌ１と重なるように配置されている。また、Ｂ電極４０の第２方向電極用導線６１２ｂは、その９割以上が、Ａ電極３０の第２方向電極用導線６１２ａのいずれかの延長線Ｌ２と重なるように配置されている。例えば、隙間Ｓ１は、直線状に延びる１本の導線６１１ａ，６１１ｂあるいは導線６１２ａ，６１２ｂのうち隙間Ｓ１となるべき領域に位置する部分（図６に延長線Ｌ１，Ｌ２として示す部分）を、分断部として除去することによって、構成されている。これによって、隙間Ｓ１が目立つことを抑制することができる。
【００６０】
同様に、Ａ配線２６及びＢ配線２８は、その第１方向配線用導線８１１の９割以上が、Ａ電極３０の前記第１方向電極用導線６１１ａのいずれかの延長線Ｌ１と重なるように配置されている。また、Ａ配線２６及びＢ配線２８は、その第２方向配線用導線８１２の９割以上が、Ａ電極３０の前記第２方向電極用導線６１２ａのいずれかの延長線Ｌ２と重なるように配置されている。例えば、隙間Ｓ２、Ｓ３は、直線状に延びる１本の導線６１１ａ，８１１あるいは導線６１２ａ，８１２のうち隙間Ｓ２、Ｓ３となるべき領域に位置する部分（図６に延長線Ｌ１，Ｌ２として示す部分）を、分断部として除去することによって、構成されている。これによって、隙間Ｓ２、Ｓ３が目立つことを抑制することができる。
【００６１】
図４及び図６において、一点鎖線は、Ａ電極３０などのタッチ位置検出機能付き表示装置１０の構成要素の輪郭を示すために仮想的に描いた線である。各構成要素の輪郭は、導線６１，８１の端部を連結した線によって画定される。例えば図６に示すように、Ａ極第１線状部分Ａ１の内側側部ｓＡ１及び外側側部ｔＡ１の輪郭は、Ａ極第１線状部分Ａ１第１方向Ｄ１に沿って並ぶ複数の導線６１の端部を連結した線によって画定される。
【００６２】
Ａ極線状部分Ａ１〜Ａｍ及びＢ極線状部分Ｂ１〜Ｂｎの各々において、好ましくは、導線６１同士が交わる交点６１ａが、当該線状部分の延びる方向に直交する方向に沿って少なくとも２つ以上並んでいる。例えば、第１方向Ｄ１に延びるＡ極第１線状部分Ａ１においては、導線６１同士が交わる交点６１ａが、第１方向Ｄ１に直交する方向（ここでは第２方向Ｄ２）に沿って少なくとも２つ以上並んでいる。この場合、仮に製造時のエッチング不良などによって１個の交点６１ａが除去されてしまった場合であっても、Ａ極線状部分Ａ１〜Ａｍ及びＢ極線状部分Ｂ１〜Ｂｎに少なくとも１個の交点６１ａを残すことができる。従って、残っている少なくとも１個の交点６１ａを利用して、Ａ極線状部分Ａ１〜Ａｍ及びＢ極線状部分Ｂ１〜Ｂｎの延びる方向に沿って当該線状部分に信号を与えることができる。これによって、Ａ極線状部分Ａ１〜Ａｍ及びＢ極線状部分Ｂ１〜Ｂｎが断線してしまう可能性を低減することができる。
【００６３】
同様に、第３方向Ｄ３に延びるＡ配線２６及びＢ配線２８において、好ましくは、導線８１同士が交わる交点８１ａが、第３方向Ｄ３に直交する方向（ここでは第４方向Ｄ４）に沿って少なくとも２つ以上並んでいる。これによって、Ａ配線２６及びＢ配線２８が断線してしまう可能性を低減することができる。
【００６４】
図７は、タッチパネルセンサ２０の断面構造の一例を示す図である。図７に示すように、導線６１，８１は、基材２２の第１面２２ａ上に設けられた金属層６４，８４を含んでいる。金属層６４，８４は、例えば、銀、銅、アルミニウムまたはこれらの合金等を含んでいる。金属層６４，８４の幅は、求められる開口率などに応じて設定されるが、例えば１μｍ以上且つ１０μｍ以下である。金属層６４，８４の厚みは、Ａ電極３０、Ｂ電極４０、Ａ配線２６及びＢ配線２８に対して求められる電気抵抗値などに応じて適宜設定されるが、例えば０．１μｍ以上且つ５．０μｍ以下である。図７に示す金属層６４，８４は、例えば、基材２２の第１面２２ａ上に全域にわたって設けられた金属層をエッチングなどによってパターニングすることによって得られる。
【００６５】
なお、図示はしないが、導線６１，８１には、導線６１，８１による光の反射を抑制するための低反射処理が施されていてもよい。例えば、金属層６４，８４の表面には黒化処理が施されていてもよい。また、導線６１，８１は、金属層６４，８４と基材２２の第１面２２ａとの間に位置する低反射層を更に含んでいてもよい。
【００６６】
（本実施の形態の効果）
本実施の形態によれば、上述のように、センサ部２４のＡ電極３０及びＢ電極４０は、互いに並行するように螺旋状に形成されている。具体的には、Ａ電極３０及びＢ電極４０がそれぞれ、複数のＡ極線状部分Ａ１〜Ａｍ及びＢ極線状部分Ｂ１〜Ｂｎを含み、Ａ極第１線状部分Ａ１及びＢ極第１線状部分Ｂ１の内側部は、互いに対向し、Ｂ極第３線状部分Ｂ３の内側部はＡ極第１線状部分Ａ１の外側部に対向する。また、Ａ極第３線状部分Ａ３の内側部はＢ極第１線状部分Ｂ１の外側部に対向する。同様に、Ｂ極第ｑ線状部分Ｂｑの内側側部ｓＢｑは（ｑは３〜ｎの整数）、Ａ極第ｑ−２線状部分Ａｑ−２の外側側部ｔＡｑ−２に対向し、Ａ極第ｐ線状部分Ａｐの内側側部ｓＡｐは（ｐは３〜ｍの整数）、Ｂ極第ｐ−２線状部分Ｂｐ−２の外側側部ｔＢｐ−２に対向している。このため、Ａ電極３０とＢ電極４０との間には、Ａ極線状部分Ａ１〜Ａｍ及びＢ極線状部分Ｂ１〜Ｂｎの数、並びに、対向する側部ｓＢｑ，ｔＡｑ−２及び側部ｓＡｐ，ｔＢｐ−２の対向部分の長さに比例した静電容量を有するコンデンサが形成することができる。このため、センサ部２４の静電容量を増加させることができ、このことにより、センサ部２４の検出感度を高めることができる。
【００６７】
また、ある方向（例えば第５方向Ｄ５や第６方向Ｄ６）において、隣り合うＡ極線状部分Ａ１〜Ａｍ及びＢ極線状部分Ｂ１〜Ｂｎの間に延びる隙間Ｓ１の長さが、センサ部２４の中心Ｏに近づくほど短くなる。すなわち、ある方向に延びる複数の隙間Ｓ１のうち、隣り合う２つの隙間Ｓ１の長さが異なる。このため、隙間Ｓ１が目立つことが抑制される。
【００６８】
また、各センサ部２４において、複数の隙間Ｓ１の一部が延びる方向は、Ａ極第１線状部分Ａ１が延びる第５方向Ｄ５ないしＡ極第３線状部分Ａ３が延びる第７方向Ｄ７であるのに対し、他の隙間Ｓ１が延びる方向は、Ａ極第２線状部分Ａ２が延びる第６方向Ｄ６ないしＡ極第４線状部分Ａ４が延びる第８方向Ｄ８である。すなわち、各センサ部２４において、複数の隙間Ｓ１が延びる方向は、統一されていない。このため、隙間Ｓ１が目立つことが抑制される。
【００６９】
また、複数のＡ極線状部分Ａ１〜Ａｍ及びＢ極線状部分Ｂ１〜Ｂｎを螺旋状に配置することで、各線状部分Ａ１〜Ａｍ，Ｂ１〜Ｂｎの側部ｓＡ１〜ｓＡｍ，ｔＡ１〜ｔＡｍ，ｓＢ１〜ｓＢｎ，ｔＢ１〜ｔＢｎを、コンデンサ形成のために効率よく利用することができる。
【００７０】
本実施の形態においては、Ａ電極３０及びＢ電極の電極用導線６１は、第１方向Ｄ１に沿って直線状に延びる複数の第１方向電極用導線６１１ａ，６１１ｂと、第１方向Ｄ１に交差する第２方向Ｄ２に沿って直線状に延びる複数の第２方向電極用導線６１２ａ，６１２ｂと、を有している。そして、Ｂ電極４０の第１方向電極用導線６１１ｂの９割以上が、Ａ電極３０の第１方向電極用導線６１１ａのいずれかの延長線Ｌ１と重なる。また。Ｂ電極４０の第２方向電極用導線６１２ｂの９割以上が、Ａ電極３０の第２方向電極用導線６１２ａのいずれかの延長線Ｌ２と重なる。このことにより、Ａ電極３０とＢ電極４０との間の隙間Ｓ１が目立つことを抑制することができる。
【００７１】
また、本実施の形態においては、Ａ配線２６及びＢ配線２８の配線用導線８１は、第１方向Ｄ１に沿って直線状に延びる複数の第１方向配線用導線８１１と、第２方向Ｄ２に沿って直線状に延びる複数の第２方向配線用導線８１２と、を有している。そして、Ａ配線２６及びＢ配線２８の第１方向配線用導線８１１の９割以上が、Ａ電極３０の第１方向電極用導線６１１ａのいずれかの延長線Ｌ１と重なる。また、Ａ配線２６及びＢ配線２８の第２方向配線用導線８１２の９割以上が、Ａ電極３０の第２方向電極用導線６１２ａのいずれかの延長線Ｌ２と重なる。このことにより、Ａ電極３０及びＢ電極４０と、Ａ配線２６及びＢ配線２８と、の間の隙間Ｓ２、並びに、Ａ配線２６とＢ配線２８との間の隙間Ｓ３、が目立つことを抑制することができる。
【００７２】
また本実施の形態においては、Ａ電極３０のＡ極線状部分Ａ１〜Ａｍ及びＢ電極４０のＢ極線状部分Ｂ１〜Ｂｎの各々において、第１方向電極用導線６１１ａ，６１１ｂ及び第２方向電極用導線６１２ａ，６１２ｂの交点６１ａが、当該線状部分が延びる方向に直交する方向に沿って少なくとも２つ以上並んでいる。これによって、仮に製造時のエッチング不良などによって１個の交点６１ａが除去されてしまった場合であっても、Ａ極線状部分Ａ１〜Ａｍ及びＢ極線状部分Ｂ１〜Ｂｎに少なくとも１個の交点６１ａを残すことができる。従って、残っている少なくとも１個の交点６１ａを利用して、当該線状部分Ａ１〜Ａｍ，Ｂ１〜Ｂｎが延びる方向に沿って当該線状部分Ａ１〜Ａｍ，Ｂ１〜Ｂｎに信号を与えることができる。これによって、Ａ極線状部分Ａ１〜Ａｍ及びＢ極線状部分Ｂ１〜Ｂｎが断線してしまう可能性を低減することができる。
【００７３】
また本実施の形態においては、Ａ配線２６及びＢ配線２８の各々において、第１方向配線用導線８１１及び第２方向電極用導線８１２の交点８１ａが、Ａ配線２６及びＢ配線２８が延びる第２方向Ｄ２に直交する方向に沿って少なくとも２つ以上並んでいる。これによって、仮に製造時のエッチング不良などによって１個の交点８１ａが除去されてしまった場合であっても、Ａ配線２６及びＢ配線に少なくとも１個の交点８１ａを残すことができる。従って、残っている少なくとも１個の交点８１ａを利用して、第２方向Ｄ２に沿ってＡ配線２６及びＢ配線２８に電流を流すことができる。これによって、Ａ配線２６及びＢ配線２８が断線してしまう可能性を低減することができる。
【００７４】
〔第２の実施の形態〕
以下、図８を参照して、第２の実施の形態について説明する。第２の実施の形態は、Ａ電極３０及びＢ電極４０が全体として長方形あるいは正方形以外の平行四辺形の輪郭を有する螺旋状に形成されている点が異なるのみであり、他の構成は第１の実施の形態と略同一である。第２の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【００７５】
図８に示す例では、Ａ極第１線状部分Ａ１が延びる第５方向Ｄ５と、Ａ極第２線状部分Ａ２が延びる第６方向Ｄ６と、は、互いに直交していない。また、Ａ極第２線状部分Ａ２が延びる第６方向Ｄ６と、Ａ極第３線状部分Ａ３が延びる第７方向Ｄ７と、は、互いに直交していない。また、Ａ極第３線状部分Ａ３が延びる第７方向Ｄ７と、Ａ極第４線状部分Ａ４が延びる第８方向Ｄ８と、は、互いに直交していない。
【００７６】
この場合も、このため、Ａ電極３０とＢ電極４０との間には、Ａ極線状部分Ａ１〜Ａｍ及びＢ極線状部分Ｂ１〜Ｂｎの数、並びに、対向する側部ｓＢｑ，ｔＡｑ−２及び側部ｓＡｐ，ｔＢｐ−２の対向部分の長さに比例した静電容量を有するコンデンサが形成することができる。このため、センサ部２４の静電容量を増加させることができ、このことにより、センサ部２４の検出感度を高めることができる。
【００７７】
また、ある方向（例えば第５方向Ｄ５や第６方向Ｄ６）において、隣り合うＡ極線状部分Ａ１〜Ａｍ及びＢ極線状部分Ｂ１〜Ｂｎの間に延びる隙間Ｓ１の長さが、センサ部２４の中心Ｏに近づくほど短くなる。すなわち、ある方向に延びる複数の隙間Ｓ１のうち、隣り合う２つの隙間Ｓ１の長さが異なる。このため、隙間Ｓ１が目立つことが抑制される。
【００７８】
また、各センサ部２４において、複数の隙間Ｓ１の一部が延びる方向は、Ａ極第１線状部分Ａ１が延びる第５方向Ｄ５ないしＡ極第３線状部分Ａ３が延びる第７方向Ｄ７であるのに対し、他の隙間Ｓ１が延びる方向は、Ａ極第２線状部分Ａ２が延びる第６方向Ｄ６ないしＡ極第４線状部分Ａ４が延びる第８方向Ｄ８である。すなわち、各センサ部２４において、複数の隙間Ｓ１が延びる方向は、統一されていない。このため、隙間Ｓ１が目立つことが抑制される。
【００７９】
また、複数のＡ極線状部分Ａ１〜Ａｍ及びＢ極線状部分Ｂ１〜Ｂｎを螺旋状に配置することで、各線状部分Ａ１〜Ａｍ，Ｂ１〜Ｂｎの側部ｓＡ１〜ｓＡｍ，ｔＡ１〜ｔＡｍ，ｓＢ１〜ｓＢｎ，ｔＢ１〜ｔＢｎを、コンデンサ形成のために効率よく利用することができる。
【００８０】
〔第３の実施の形態〕
以下、図９を参照して、第３の実施の形態について説明する。第３の実施の形態は、主として、Ａ電極３０及びＢ電極４０が全体として三角形の輪郭を有する螺旋状に形成されている点、及び、Ａ電極３０及びＢ電極４０の螺旋の回転方向がセンサ部毎に異なっている点が異なっており、他の構成は第１の実施の形態と略同一である。第３の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【００８１】
以下、図９及び図１０を参照して、第３の実施の形態によるＡ電極３０及びＢ電極４０の構成について、より詳細に説明する。
【００８２】
まず、複数のセンサ部２４において、Ａ電極３０の複数のＡ極線状部分Ａ１〜Ａｍが、この順で、センサ部２４の中心Ｏから外側に向かって、全体として三角形状の螺旋を描くように配置され、互いに接続されている。また、Ｂ電極４０の複数のＢ極線状部分Ｂ１〜Ｂｎが、この順で、センサ部２４の中心Ｏから外側に向かって、全体として三角形状の螺旋を描くように配置され、互いに接続されている。
【００８３】
複数のセンサ部２４うち、一部のセンサ部、例えばセンサ部２４＿１２，２４＿２１，２４＿２３，２４＿３２、において、Ａ極線状部分Ａ１〜Ａｍ及びＢ極線状部分Ｂ１〜Ｂｎは、β回転方向Ｃβに回転する螺旋を描くように配置されている。一方、他のセンサ部、例えばセンサ部２４＿２２，２４＿３１，２４＿３３，２４＿４２、において、Ａ極線状部分Ａ１〜Ａｍ及びＢ極線状部分Ｂ１〜Ｂｎは、β回転方向Ｃβとは異なるγ回転方向Ｃγに回転する螺旋を描くように配置されている。
【００８４】
図１０（ａ）は、例えばセンサ部２４＿１２の、β回転方向Ｃβに回転する螺旋状に形成されたＡ電極３０及びＢ電極４０を拡大して示す図である。一方、図１０（ｂ）は、例えばセンサ部２４＿２２の、γ回転方向Ｃγに回転する螺旋状に形成されたＡ電極３０及びＢ電極４０を拡大して示す図である。
【００８５】
図１１（ａ）は、図１０（ａ）のＡ電極３０及びＢ電極４０のうち、センサ部２４の中心Ｏの付近に配置されたＡ電極３０の３つのＡ極線状部分Ａ１〜Ａ３の及びＢ電極４０の４つのＢ極線状部分Ｂ１〜Ｂ４を拡大して示す図である。また、図１１（ｂ）は、図１０（ｂ）のＡ電極３０及びＢ電極４０のうち、センサ部２４の中心Ｏの付近に配置されたＡ電極３０の３つのＡ極線状部分Ａ１〜Ａ３の及びＢ電極４０の４つのＢ極線状部分Ｂ１〜Ｂ４を拡大して示す図である。
【００８６】
図１０（ａ）及び図１１（ａ）に示すように、Ａ極線状部分Ａ１〜Ａｍのうち、センサ部２４の中心Ｏの最も近傍に配置されたＡ極第１線状部分Ａ１は、全体として第８方向Ｄ８に延びている。Ａ極第１線状部分Ａ１は、第８方向Ｄ８に延び、且つセンサ部２４の中心Ｏに対向する内側側部ｓＡ１と、内側側部ｓＡ１に対向する外側側部ｔＡ１と、を有している。
【００８７】
Ａ極第２線状部分Ａ２は、全体として、Ａ極第１線状部分Ａ１が延びる第８方向Ｄ８とは異なる第９方向Ｄ９に延びている。Ａ極第２線状部分Ａ２は、第９方向Ｄ９に延び、且つセンサ部２４の中心Ｏに対向する内側側部ｓＡ２と、内側側部ｓＡ２に対向する外側側部ｔＡ２と、を有している。
【００８８】
Ａ極第３線状部分Ａ３は、全体として、Ａ極第２線状部分Ａ２が延びる第９方向Ｄ９とは異なる第１０方向Ｄ１０に延びている。Ａ極第３線状部分Ａ３は、第１０方向Ｄ１０に延び、且つセンサ部２４の中心Ｏに対向する内側側部ｓＡ３と、内側側部ｓＡ３に対向する外側側部ｔＡ３と、を有している。
【００８９】
図１０（ａ）及び図１１（ａ）に示す例において、Ａ極第２線状部分Ａ２が延びる第９方向Ｄ９は、Ａ極第１線状部分Ａ１が延びる第８方向Ｄ８に直交している。また、Ａ極第３線状部分Ａ３が延びる第１０方向Ｄ１０は、Ａ極第２線状部分Ａ２が延びる第９方向Ｄ９に対して、４５°の角度を成している。
【００９０】
また、Ａ極第ｐ線状部分Ａｐの内側側部ｓＡｐは（ｐは４〜ｍの整数）、Ａ極第ｐ−３線状部分Ａｐ−３の延びる方向に沿って延びている。この結果、Ａ電極３０のＡ極線状部分Ａ１〜Ａｍは、全体として直角三角形状の輪郭を有する螺旋を描いている。
【００９１】
一方、図１０（ａ）及び図１１（ａ）に示すＢ電極４０のＢ極線状部分Ｂ１〜Ｂｎのうち、センサ部２４の中心Ｏの最も近傍に配置されたＢ極第１線状部分Ｂ１は、全体として、Ａ極第１線状部分Ａ１が延びる第８方向Ｄ８に延びている。Ｂ極第１線状部分Ｂ１は、第８方向Ｄ８に延び、且つＡ極第１線状部分Ａ１の内側側部ｓＡ１に対向する内側側部ｓＢ１と、内側側部ｓＢ１に対向する外側側部ｔＢ１と、を有している。
【００９２】
Ｂ極第２線状部分Ｂ２は、全体として、Ａ極第３線状部分Ａ３が延びる第１０方向Ｄ１０に延びている。Ｂ極第２線状部分Ｂ２は、第１０方向Ｄ１０に延び、且つＡ電極３０のＡ極第１線状部分Ａ１の一端ｅＡ１に対向する内側側部ｓＢ２と、内側側部ｓＢ２に対向する外側側部ｔＢ２と、を有している。
【００９３】
Ｂ極第３線状部分Ｂ３は、全体として、Ａ極第１線状部分Ａ１が延びる第８方向Ｄ８に延びている。Ｂ極第３線状部分Ｂ３は、第８方向Ｄ８に延び、且つＡ極第３線状部分Ａ３の外側側部ｔＡ１に対向する内側側部ｓＢ３と、内側側部ｓＢ３に対向する外側側部ｔＢ３と、を有している。
【００９４】
本実施の形態においても、Ｂ電極４０のＢ極線状部分Ｂ１〜Ｂｎは、Ａ電極３０に並行して配置されている。したがって、Ｂ電極４０も、全体として直角三角形状の輪郭を有する螺旋を描いている。
【００９５】
図１０（ａ）及び図１１（ａ）に示すＡ電極３０及びＢ電極４０において、Ａ極第１線状部分Ａ１が延びる第８方向Ｄ８及びＡ極第２線状部分Ａ２が延びる第９方向Ｄ９は直交している。また、Ａ極第３線状部分Ａ３が延びる第１０方向Ｄ１０は、第８方向Ｄ８及び第９方向Ｄ９に対して４５°の角度をなす。この結果、Ａ電極３０及びＢ電極４０の直角三角形状の輪郭を構成するその他の線状部分も、第８方向Ｄ８、第９方向Ｄ９及び第１０方向のうちのいずれかに延びる辺を有する。例えば、図９に示すように、Ａ配線２６にその他端ｆＡｍが接続されたＡ極第ｍ線状部分Ａｍは、第１０方向Ｄ１０に延びている。また、Ｂ配線２８にその他端ｆＢｎが接続されたＢ極第ｎ線状部分Ｂｎは、第９方向Ｄ９に延びており、Ｂ極第ｎ線状部分Ｂｎにその他端ｆＢｎ−１が接続されたＢ極第ｎ−１線状部分Ｂｎ−１は、第１０方向Ｄ１０に延びている。後述するように、Ａ電極３０に接続されたＡ配線２６も、第８方向Ｄ８に延びている。
【００９６】
次に、図１０（ｂ）及び図１１（ｂ）を参照して、例えばセンサ部２４＿２２の、γ回転方向Ｃγに回転する螺旋状に形成されたＡ電極３０及びＢ電極４０について説明する。
【００９７】
図１０（ｂ）及び図１１（ｂ）に示すように、Ａ極線状部分Ａ１〜Ａｍのうち、センサ部２４の中心Ｏの最も近傍に配置されたＡ極第１線状部分Ａ１は、全体として第９方向Ｄ９に延びている。Ａ極第１線状部Ａ１は、第９方向Ｄ９に延び、且つセンサ部２４の中心Ｏに対向する内側側部ｓＡ１と、内側側部ｓＡ１に対向する外側側部ｔＡ１と、を有している。
【００９８】
Ａ極第２線状部分Ａ２は、全体として、Ａ極第１線状部分Ａ１が延びる第９方向Ｄ９とは異なる第８方向Ｄ８に延びている。Ａ極第２線状部分Ａ２は、第８方向Ｄ８に延び、且つセンサ部２４の中心Ｏに対向する内側側部ｓＡ２と、内側側部ｓＡ２に対向する外側側部ｔＡ２と、を有している。
【００９９】
Ａ極第３線状部分Ａ３は、全体として、Ａ極第２線状部分Ａ２が延びる第８方向Ｄ８とは異なる第１０方向Ｄ１０に延びている。Ａ極第３線状部分Ａ３は、第１０方向Ｄ１０に延び、且つセンサ部２４の中心Ｏに対向する内側側部ｓＡ３と、内側側部ｓＡ３に対向する外側側部ｔＡ３と、を有している。
【０１００】
センサ部２４＿２２のＡ電極３０においても、Ａ極第ｐ線状部分Ａｐの内側側部ｓＡｐは（ｐは４〜ｍの整数）、Ａ極第ｐ−３線状部分Ａｐ−３の延びる方向に沿って延びている。この結果、Ａ電極３０のＡ極線状部分Ａ１〜Ａｍは、全体として直角三角形状の輪郭を有する螺旋状に形成されている。
【０１０１】
一方、センサ部２４＿２２のＢ電極４０のＢ極線状部分Ｂ１〜Ｂｎのうち、センサ部２４の中心Ｏの最も近傍に配置されたＢ極第１線状部分Ｂ１は、全体として、Ａ極第１線状部分Ａ１が延びる第９方向Ｄ９に延びている。Ｂ極第１線状部分Ｂ１は、第９方向Ｄ９に延び、且つＡ極第１線状部分Ａ１の内側側部ｓＡ１に対向する内側側部ｓＢ１と、内側側部ｓＢ１に対向する外側側部ｔＢ１と、を有している。
【０１０２】
Ｂ極第２線状部分Ｂ２は、全体として、Ａ極第３線状部分Ａ３が延びる第１０方向Ｄ１０に延びている。Ｂ極第２線状部分Ｂ２は、第１０方向Ｄ１０に延び、且つＡ電極３０のＡ極第１線状部分Ａ１の一端ｅＡ１に対向する内側側部ｓＢ２と、内側側部ｓＢ２に対向する外側側部ｔＢ２と、を有している。
【０１０３】
Ｂ極第３線状部分Ｂ３は、全体として、Ａ極第１線状部分Ａ１が延びる第９方向Ｄ９に延びている。Ｂ極第３線状部分Ｂ３は、第９方向Ｄ９に延び、且つＡ極第１線状部分Ａ１の外側側部ｔＡ１に対向する内側側部ｓＢ３と、内側側部ｓＢ３に対向する外側側部ｔＢ３と、を有している。
【０１０４】
センサ部２４＿２２においても、Ｂ電極４０のＢ極線状部分Ｂ１〜Ｂｎは、Ａ電極３０に並行して配置されている。したがって、センサ部２４＿２２のＢ電極４０も、全体として直角三角形状の輪郭を有する螺旋を描いている。
【０１０５】
図１０（ｂ）及び図１１（ｂ）に示すＡ電極３０及びＢ電極４０において、Ａ極第１線状部分Ａ１が延びる第９方向Ｄ９及びＡ極第２線状部分Ａ２が延びる第８方向Ｄ８は直交している。また、Ａ極第３線状部分Ａ３が延びる第１０方向Ｄ１０は、第８方向Ｄ８及び第９方向Ｄ９に対して４５°の角度をなす。この結果、Ａ電極３０及びＢ電極４０の直角三角形状の輪郭を構成するその他の線状部分も、第８方向Ｄ８、第９方向Ｄ９及び第１０方向のうちのいずれかに延びる辺を有する。例えば、図９に示すように、Ａ配線２６にその他端ｆＡｍが接続されたＡ極第ｍ線状部分Ａｍは、第１０方向Ｄ１０に延びており、Ａ極第ｍ線状部分Ａｍにその他端ｆＡｍ−１が接続されたＡ極第Ａｍ−１線状部分Ａｍ−１は、第８方向Ｄ８に延びている。また、Ｂ配線２８にその他端ｆＢｎが接続されたＢ極第ｎ線状部分Ｂｎは、第９方向Ｄ９に延びている。後述するように、Ｂ電極４０に接続されたＢ配線２８も、第８方向Ｄ８に延びている。
【０１０６】
図９に示すように、複数のセンサ部２４が並ぶ方向Ｄ３において隣り合う一組のセンサ部、例えばセンサ部２４＿１２及びセンサ部２４＿２２、は、各々のＡ電極３０の最も外側に位置するＡ極第ｍ線状部分Ａｍが、互いに対向するように配置される。このようなセンサ部２４の組が、第８方向Ｄ８及び第９方向Ｄ９に沿って並べられている。そして、Ａ配線２６及びＢ配線２８は、センサ部２４の組が並ぶ方向（図９に示す例においては第８方向Ｄ８）に沿って延びている。
【０１０７】
この場合も、Ａ電極３０とＢ電極４０との間には、Ａ極線状部分Ａ１〜Ａｍ及びＢ極線状部分Ｂ１〜Ｂｎの数、並びに、対向する側部ｓＢｑ，ｔＡｑ−２及び側部ｓＡｐ，ｔＢｐ−２の対向部分の長さに比例した静電容量を有するコンデンサが形成することができる。このため、センサ部２４の静電容量を増加させることができ、このことにより、センサ部２４の検出感度を高めることができる。
【０１０８】
また、ある方向（例えば第８方向Ｄ８や第９方向Ｄ９、第１０方向Ｄ１０）において、隣り合うＡ極線状部分Ａ１〜Ａｍ及びＢ極線状部分Ｂ１〜Ｂｎの間に延びる隙間Ｓ１の長さが、センサ部２４の中心Ｏに近づくほど短くなる。すなわち、ある方向に延びる複数の隙間Ｓ１のうち、隣り合う２つの隙間Ｓ１の長さが異なる。このため、隙間Ｓ１が目立つことが抑制される。
【０１０９】
また、例えばセンサ部２４＿１２において、複数の隙間Ｓ１の一部が延びる方向は、Ａ極第１線状部分Ａ１が延びる第８方向Ｄ８であるのに対し、他の隙間Ｓ１の一部が延びる方向は、Ａ極第２線状部分Ａ２が延びる第９方向Ｄ９である。さらに、残りの隙間Ｓ１が延びる方向は、Ａ極第３線状部分Ａ３が延びる第１０方向Ｄ１０である。このように、各センサ部２４において、複数の隙間Ｓ１が延びる方向は、統一されていない。このため、隙間Ｓ１が目立つことが抑制される。
【０１１０】
また、複数のＡ極線状部分Ａ１〜Ａｍ及びＢ極線状部分Ｂ１〜Ｂｎを螺旋状に配置することで、各線状部分Ａ１〜Ａｍ，Ｂ１〜Ｂｎの側部ｓＡ１〜ｓＡｍ，ｔＡ１〜ｔＡｍ，ｓＢ１〜ｓＢｎ，ｔＢ１〜ｔＢｎを、コンデンサ形成のために効率よく利用することができる。
【０１１１】
〔第４の実施の形態〕
以下、図１２乃至図１５を参照して、第４の実施の形態について説明する。第４の実施の形態は、センサ部２４がダミー電極５０を更に有する点が異なるのみであり、他の構成は第１の実施の形態と略同一である。第４の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【０１１２】
図１２は、本実施例に係るタッチパネルセンサ２０の一部を拡大して示す平面図である。図１２に示すように、センサ部２４は、Ａ電極３０及びＢ電極４０のいずれにも接続されていないダミー電極５０を更に有する。
【０１１３】
図１３は、図１２のセンサ部２４の一部及びＡ配線２６の一部を更に拡大して示す平面図である。図１２及び図１３に示すように、ダミー電極５０は、Ａ電極３０とＢ電極４０との間に位置する。
【０１１４】
図１２及び図１３に示すように、本実施の形態においては、センサ部２４において隣り合うＡ極線状部分Ａ１〜Ａｍ及びＢ極線状部分Ｂ１〜Ｂｎの間に延びる第１隙間Ｓ１が、Ａ極線状部分Ａ１〜Ａｍとダミー電極５０との間、及びＢ極線状部分Ｂ１〜Ｂｎとダミー電極５０との間に形成される。図１３において、符号ｃは、Ａ極線状部分Ａ１〜Ａｍ及びＢ極線状部分Ｂ１〜Ｂｎの延びる方向に直交する方向における、Ａ極線状部分Ａ１〜Ａｍの側部ｓＡ１〜ｓＡｍ，ｔＡ１〜ｔＡｍと、当該側部に対向するＢ極線状部分Ｂ１〜Ｂｎの側部ｓＢ１〜ｓＢｎ，ｔＢ１〜ｔＢｎと、の間の間隔を表す。本実施の形態によれば、ダミー電極５０を設けることにより、Ａ極線状部分Ａ１〜ＡｍとＢ極線状部分Ｂ１〜Ｂｎとの間の間隔ｃを拡大することができる。
【０１１５】
図１４及び図１５は、隣り合うＡ極線状部分Ａ１〜ＡｍとＢ極線状部分Ｂ１〜Ｂｎとの間の間隔ｃを拡大することによって実現される効果を説明するための図である。図１４は、ダミー電極５０が存在しない場合のセンサ部２４の一例を示す断面図であり、図１５は、ダミー電極５０が存在する場合のセンサ部２４の一例を示す断面図である。
【０１１６】
図１４及び図１５において、符号７１は、隣り合うＡ極線状部分Ａ１〜ＡｍとＢ極線状部分Ｂ１〜Ｂｎとの間に形成される電気力線を表す。電気力線７１は、Ａ極線状部分Ａ１〜ＡｍとＢ極線状部分Ｂ１〜Ｂｎとの間の間隔ｃが大きいほど、広域にわたって広がる。電気力線７１が広がる範囲が大きいほど、センサ部２４が外部導体７２を検出可能な範囲も広くなる。例えば、センサ部２４が外部導体７２を検出し始める際の、基材２２の第２面２２ｂと外部導体７２との間の距離Ｅが大きくなる。すなわち、センサ部２４の感度が向上する。
【０１１７】
図１４に示す例において、間隔ｃは、第１隙間Ｓ１の幅ａに等しい。第１隙間Ｓ１の幅ａを大きくすると、第１隙間Ｓ１がユーザーに視認され易くなる。このため、図１４に示す例においては、間隔ｃが制限され、この結果、センサ部２４の感度も制限される。
【０１１８】
一方、図１５に示す例において、間隔ｃは、第１隙間Ｓ１の幅ａを二倍した値にダミー電極５０の幅を加えたものとなる。図１５に示す例によれば、第１隙間Ｓ１の幅ａを維持しながら間隔ｃを大きくして、センサ部２４の感度を向上させることができる。例えば、センサ部２４が外部導体７２を検出し始める際の、基材２２の第２面２２ｂと外部導体７２との間の距離Ｅを、図１４に示す例の場合に比べて大きくすることができる。このことにより、例えば基材２２の厚みが大きい場合や、基材２２の第２面２２ｂ側に更に保護カバーなどが設けられる場合であっても、外部導体７２を適切に検出することができる。
【０１１９】
また、図１３に示す例において、ダミー電極５０は、Ａ極線状部分Ａ１〜Ａｍ及びＢ極線状部分Ｂ１〜Ｂｎと同様に、網目状のパターンを有するダミー電極用導線５１を含む。ダミー電極用導線５１は、第１方向Ｄ１に沿って直線状に延びる複数の第１方向ダミー電極用導線５１１と、第２方向Ｄ２に沿って直線状に延びる複数の第２方向ダミー電極用導線５１２と、を有する。第１方向ダミー電極用導線５１１は、その９割以上が、Ａ電極３０の第１方向電極用導線６１１ａのいずれかの延長線Ｌ１と重なるよう、配置されている。また、第２方向ダミー電極用導線５１２は、その９割以上が、Ａ電極３０の第２方向電極用導線６１２ａのいずれかの延長線Ｌ２と重なるよう、配置されている。このことにより、Ａ電極３０及びＢ電極４０とダミー電極５０との間の隙間Ｓ１が目立つことを抑制することができる。
【０１２０】
なお、上述した実施の形態に対するいくつかの変形例を説明してきたが、当然に、複数の変形例を適宜組み合わせて適用することも可能である。
【符号の説明】
【０１２１】
１０  タッチ位置検出機能付き表示装置
１５  表示装置
２０  タッチパネルセンサ
２２  基材
２４  センサ部
２６  Ａ配線
２６１  接続部分
２６２  線状部分
２８  Ｂ配線
３０  Ａ電極
Ａ１〜Ａｍ  Ａ極線状部分
４０  Ｂ電極
Ｂ１〜Ｂｎ  Ｂ極線状部分
５０  ダミー電極
６１  電極用導線
６２  開口部
７１  電気力線
７２  外部導体
【図１】
2018116564.tif 000003
【図２】
2018116564.tif 000004
【図３】
2018116564.tif 000005
【図４】
2018116564.tif 000006
【図５】
2018116564.tif 000007
【図６】
2018116564.tif 000008
【図７】
2018116564.tif 000009
【図８】
2018116564.tif 000010
【図９】
2018116564.tif 000011
【図１０】
2018116564.tif 000012
【図１１】
2018116564.tif 000013
【図１２】
2018116564.tif 000014
【図１３】
2018116564.tif 000015
【図１４】
2018116564.tif 000016
【図１５】
2018116564.tif 000017